(57)【要約】【課題】１つのシーンにおける時系列サムネイル画像データを生成して表示部に表示する構成を提供する。【解決手段】１つの動画像データ記録単位であるシーンにおける時系列サムネイル画像データ（フィルムロールインデックス）を生成して表示する。本構成によりユーザは時系列サムネイル画像に基づいて容易に各シーンの内容を知ることができる。また、ユーザが時系列サムネイル画像を指定することで、指定サムネイル画像を起点とした画像再生を可能としたので、見たい場面の再生を即座に行なうことができる。また、シーンインデックス表示とフィルムロールインデックス表示とのワンタッチ切換えを可能としたので、ユーザの様々な利用態様に応えることが可能となる。【選択図】図２
2008228135.tif 000002
【特許請求の範囲】
【請求項１】
ユーザ操作情報を入力する入力部と、
動画データを記録する記録媒体と、
前記入力部からの入力に基づいて、前記記録媒体に記録されたデータを取得して表示部に出力する表示データを生成するデータ処理部と、
前記表示データを表示する表示部とを有し、
前記データ処理部は、
前記記録媒体に記録された１つの動画像記録単位であるシーンから、予め設定された時間間隔に従って選択された画像の縮小画像を生成し、生成した縮小画像を時系列に並べた時系列縮小画像一覧を前記表示部に表示する処理を実行する構成であることを特徴とする画像処理装置。
【請求項２】
前記データ処理部は、
前記時系列縮小画像一覧に表示する縮小画像の生成対象データとして、前記予め設定された時間間隔の近傍にある画面内符号化画像を選択して縮小画像を生成する処理を実行する構成であることを特徴とする請求項１に記載の画像処理装置。
【請求項３】
前記データ処理部は、
前記記録媒体に記録された映像信号管理ファイルから前記シーン内の画面内符号化画像の位置情報を取得して、前記予め設定された時間間隔の近傍にある画面内符号化画像を選択して縮小画像を生成する処理を実行する構成であることを特徴とする請求項２に記載の画像処理装置。
【請求項４】
前記データ処理部は、
前記記録媒体に記録された前記シーンの映像信号ストリーム中の管理情報を解析して画面内符号化画像の位置情報を取得して、前記予め設定された時間間隔の近傍にある画面内符号化画像を選択して縮小画像を生成する処理を実行する構成であることを特徴とする請求項２に記載の画像処理装置。
【請求項５】
前記入力部の一部は、前記表示部に構成されるタッチパネルであり、
前記データ処理部は、
前記表示部に表示される前記時系列縮小画像一覧に対するユーザからの縮小画像指定情報を入力し、指定された縮小画像に対応する画像位置からの再生処理を実行する構成であることを特徴とする請求項１に記載の画像処理装置。
【請求項６】
前記データ処理部は、
前記表示部に表示される時系列縮小画像一覧画面と、前記記録媒体に格納された複数シーンの各々の代表画像を縮小画像として表示したシーンインデックス画面との遷移を、前記入力部を介する入力情報に従って実行することを特徴とする請求項１に記載の画像処理装置。
【請求項７】
前記データ処理部は、
前記表示部に表示される時系列縮小画像一覧画面と、前記記録媒体に格納された複数シーンの各々の代表画像を縮小画像として表示したシーンインデックス画面との遷移を、前記入力部を介する１回のユーザ操作情報に従って実行することを特徴とする請求項１に記載の画像処理装置。
【請求項８】
撮像部と、
ユーザ操作情報を入力する入力部と、
動画データを記録する記録媒体と、
前記入力部からの入力に基づいて、前記記録媒体に記録されたデータを取得して表示部に出力する表示データを生成するデータ処理部と、
前記表示データを表示する表示部とを有し、
前記データ処理部は、
前記記録媒体に記録された１つの動画像記録単位であるシーンから、予め設定された時間間隔に従って選択された画像の縮小画像を生成し、生成した縮小画像を時系列に並べた時系列縮小画像一覧を前記表示部に表示する処理を実行する構成であることを特徴とする撮像装置。
【請求項９】
画像処理装置において実行する画像表示制御方法であり、
入力部においてユーザ操作情報を入力する操作情報入力ステップと、
データ処理部が、前記入力部からの入力に基づいて、動画データを記録した記録媒体からデータを取得して表示部に出力する表示データを生成するデータ処理ステップと、
表示部が、前記表示データを表示する表示ステップを有し、
前記データ処理ステップは、
前記記録媒体に記録された１つの動画像記録単位であるシーンから、予め設定された時間間隔に従って選択された画像の縮小画像を生成し、生成した縮小画像を時系列に並べた時系列縮小画像一覧を前記表示部に出力する処理を実行するステップであることを特徴とする画像表示制御方法。
【請求項１０】
前記データ処理ステップは、
前記時系列縮小画像一覧に表示する縮小画像の生成対象データとして、前記予め設定された時間間隔の近傍にある画面内符号化画像を選択して縮小画像を生成する処理を実行するステップであることを特徴とする請求項９に記載の画像表示制御方法。
【請求項１１】
前記データ処理ステップは、
前記記録媒体に記録された映像信号管理ファイルから前記シーン内の画面内符号化画像の位置情報を取得して、前記予め設定された時間間隔の近傍にある画面内符号化画像を選択して縮小画像を生成する処理を実行するステップであることを特徴とする請求項１０に記載の画像表示制御方法。
【請求項１２】
前記データ処理ステップは、
前記記録媒体に記録された前記シーンの映像信号ストリーム中の管理情報を解析して画面内符号化画像の位置情報を取得して、前記予め設定された時間間隔の近傍にある画面内符号化画像を選択して縮小画像を生成する処理を実行するステップであることを特徴とする請求項１０に記載の画像表示制御方法。
【請求項１３】
前記入力部の一部は、前記表示部に構成されるタッチパネルであり、
前記画像表示制御方法は、さらに、
前記データ処理部が、前記表示部に表示される前記時系列縮小画像一覧に対するユーザからの縮小画像指定情報を入力し、指定された縮小画像に対応する画像位置からの再生処理を実行することを特徴とする請求項９に記載の画像表示制御方法。
【請求項１４】
前記画像表示制御方法は、さらに、
前記データ処理部が、前記表示部に表示される時系列縮小画像一覧画面と、前記記録媒体に格納された複数シーンの各々の代表画像を縮小画像として表示したシーンインデックス画面との遷移を、前記入力部を介する入力情報に従って実行することを特徴とする請求項９に記載の画像表示制御方法。
【請求項１５】
前記画像表示制御方法は、さらに、
前記データ処理部が、前記表示部に表示される時系列縮小画像一覧画面と、前記記録媒体に格納された複数シーンの各々の代表画像を縮小画像として表示したシーンインデックス画面との遷移を、前記入力部を介する１回のユーザ操作情報に従って実行することを特徴とする請求項９に記載の画像表示制御方法。
【請求項１６】
画像処理装置において画像表示制御を実行させるコンピュータ・プログラムであり、
データ処理部に、入力部からの入力に基づいて、動画データを記録した記録媒体からデータを取得して表示部に出力させる表示データを生成するデータ処理ステップと、
表示部に、前記表示データを表示させる表示ステップを有し、
前記データ処理ステップは、
前記記録媒体に記録された１つの動画像記録単位であるシーンから、予め設定された時間間隔に従って選択された画像の縮小画像を生成し、生成した縮小画像を時系列に並べた時系列縮小画像一覧を前記表示部に出力する処理を実行させるステップであることを特徴とするコンピュータ・プログラム。
【発明の詳細な説明】
【技術分野】
【０００１】
本発明は、撮像装置、画像処理装置、および画像表示制御方法、並びにコンピュータ・プログラムに関する。さらに詳細には、例えばビデオカメラなどによって撮像された多数の動画像データから選択された画像をサムネイル画像一覧として表示するとともに、一覧表示されたサムネイル画像の指定に応じて、サムネイル画像位置からの動画再生処理を実行する撮像装置、画像処理装置、および画像表示制御方法、並びにコンピュータ・プログラムに関する。
【背景技術】
【０００２】
昨今のデジタルカメラ、デジタルビデオカメラなどの撮像装置、あるいはＤＶＤプレーヤなどの画像処理装置は、例えば画像表示部やモニタ画面に記録媒体（記録メディア）に格納された画像データの一覧を表示する機能を備えているものが多い。
【０００３】
例えば、撮像装置やＤＶＤプレーヤなど動画再生可能な装置は、動画のタイトルまたはチャプターをメニュー形式で並べて表示し、これらの表示データからユーザに再生コンテンツを選択させて再生処理を行なうものがある。また、例えば撮像装置において撮影された動画について、１回の撮影処理、すなわち、撮影開始から撮影停止までの動画データを１シーンとして、各シーンから選択された代表画像の縮小画像（サムネイル画像）を表示する構成、すなわち、記録媒体に記録されている複数のシーン（動画データ）についてのサムネイル画像一覧を表示する構成としたものがある。シーンはカットと呼称される場合もある。
【０００４】
例えば、特許文献１（特許３６３６８３０号公報）は、各シーンから選択された代表画像の縮小画像（サムネイル画像）を表示する構成について開示している。
【０００５】
このように、記録媒体に格納された各画像データファイルを構成する画像データの縮小画像（サムネイル画像）をモニタの１画面内に提示することにより、ユーザは撮影データなどをある程度、把握することができる。
【０００６】
しかしながら従来のＤＶＤプレーヤやビデオカメラなどにおけるサムネイル画像一覧表示構成は、シーンを単位として１つのサムネイル画像を表示する構成である。すなわち、１回の撮影開始から撮影停止までの動画データを１シーンとして、その１シーンに対して１つの代表画像、例えば１シーンの先頭画像を選択してそのサムネイル画像を表示するといった処理を行なうものであった。
【０００７】
記録メディアには様々な動画像データ（シーン）が記録されており、各々のシーン（１回の撮影動画データ）はその長さが短いシーン、たとえば数秒のシーン、長いシーン、たとえば１時間のシーンなど様々であり、サムネイル画像一覧から、各シーンに何が映っているのか判断が難しい場合も発生する。一般的に、サムネイル画像一覧の表示に際しては、各シーンの先頭画像の静止画が選択され、これを縮小画像として提示する構成であり、先頭画像のみを提示しても、ユーザはどのような内容の画像データであるかを把握することが困難となる場合が多い。すなわち、先頭の画像のみを提示しても必ずしも動画の内容が把握できる画像にはならないことが多い。
【０００８】
また、サムネイル画像一覧から再生対象シーンを選択した場合、各シーンの先頭からの再生が実行されるが、シーン中の本当に見たい場面は、シーンの途中であるような場合も多く、このような場合、ユーザは再生を開始して、早送り処理を実行して、再生したいデータ位置を、再生画面や早送り画面を見ながら探り当てるといったことが必要となる。
【０００９】
特許文献２（特許３１８９９６３号公報）には、時系列に沿って抽出したインデックス画像を表示することで、画像の検索を効率的に実現する手法が開示されている。しかし、この特許文献２に記載の構成は、あらかじめインデックス作成処理を実行することが必要であり、この際、記録メディアに記録された画像データからある一定の時間間隔で画像を取得してインデックス画像を生成して、記録メディアに生成したインデックス画像を再記録する処理を行なう。従ってインデックス画像の作成処理に時間がかかり、また生成したインデックス画像は記録メディアに格納されるため記録メディアの空き容量を減少させてしまうという問題がある。
【特許文献１】特許３６３６８３０号公報
【特許文献２】特許３１８９９６３号公報
【発明の開示】
【発明が解決しようとする課題】
【００１０】
本発明は、上述の問題点に鑑みてなされたものであり、記憶部に記録された各シーンの各々について複数の時系列画像に対応する時系列サムネイル画像を提示し、これらの提示された任意のサムネイル画像を起点とした画像再生処理を可能とした撮像装置、画像処理装置、および画像表示制御方法、並びにコンピュータ・プログラムを提供することを目的とする。
【課題を解決するための手段】
【００１１】
本発明の第１の側面は、
ユーザ操作情報を入力する入力部と、
動画データを記録する記録媒体と、
前記入力部からの入力に基づいて、前記記録媒体に記録されたデータを取得して表示部に出力する表示データを生成するデータ処理部と、
前記表示データを表示する表示部とを有し、
前記データ処理部は、
前記記録媒体に記録された１つの動画像記録単位であるシーンから、予め設定された時間間隔に従って選択された画像の縮小画像を生成し、生成した縮小画像を時系列に並べた時系列縮小画像一覧を前記表示部に表示する処理を実行する構成であることを特徴とする画像処理装置にある。
【００１２】
さらに、本発明の画像処理装置の一実施態様において、前記データ処理部は、前記時系列縮小画像一覧に表示する縮小画像の生成対象データとして、前記予め設定された時間間隔の近傍にある画面内符号化画像を選択して縮小画像を生成する処理を実行する構成であることを特徴とする。
【００１３】
さらに、本発明の画像処理装置の一実施態様において、前記データ処理部は、前記記録媒体に記録された映像信号管理ファイルからシーン内の画面内符号化画像の位置情報を取得して、前記予め設定された時間間隔の近傍にある画面内符号化画像を選択して縮小画像を生成する処理を実行する構成であることを特徴とする。
【００１４】
さらに、本発明の画像処理装置の一実施態様において、前記データ処理部は、前記記録媒体に記録されたシーンの映像信号ストリーム中の管理情報を解析して画面内符号化画像の位置情報を取得して、前記予め設定された時間間隔の近傍にある画面内符号化画像を選択して縮小画像を生成する処理を実行する構成であることを特徴とする。
【００１５】
さらに、本発明の画像処理装置の一実施態様において、前記入力部の一部は、前記表示部に構成されるタッチパネルであり、前記データ処理部は、前記表示部に表示される前記時系列縮小画像一覧に対するユーザからの縮小画像指定情報を入力し、指定された縮小画像に対応する画像位置からの再生処理を実行する構成であることを特徴とする。
【００１６】
さらに、本発明の画像処理装置の一実施態様において、前記データ処理部は、前記表示部に表示される時系列縮小画像一覧画面と、前記記録媒体に格納された複数シーンの各々の代表画像を縮小画像として表示したシーンインデックス画面との遷移を、前記入力部を介する入力情報に従って実行することを特徴とする。
【００１７】
さらに、本発明の画像処理装置の一実施態様において、前記データ処理部は、前記表示部に表示される時系列縮小画像一覧画面と、前記記録媒体に格納された複数シーンの各々の代表画像を縮小画像として表示したシーンインデックス画面との遷移を、前記入力部を介する１回のユーザ操作情報に従って実行することを特徴とする。
【００１８】
さらに、本発明の第２の側面は、
撮像部と、
ユーザ操作情報を入力する入力部と、
動画データを記録する記録媒体と、
前記入力部からの入力に基づいて、前記記録媒体に記録されたデータを取得して表示部に出力する表示データを生成するデータ処理部と、
前記表示データを表示する表示部とを有し、
前記データ処理部は、
前記記録媒体に記録された１つの動画像記録単位であるシーンから、予め設定された時間間隔に従って選択された画像の縮小画像を生成し、生成した縮小画像を時系列に並べた時系列縮小画像一覧を前記表示部に表示する処理を実行する構成であることを特徴とする撮像装置にある。
【００１９】
さらに、本発明の第３の側面は、
画像処理装置において実行する画像表示制御方法であり、
入力部においてユーザ操作情報を入力する操作情報入力ステップと、
データ処理部が、前記入力部からの入力に基づいて、動画データを記録した記録媒体からデータを取得して表示部に出力する表示データを生成するデータ処理ステップと、
表示部が、前記表示データを表示する表示ステップを有し、
前記データ処理ステップは、
前記記録媒体に記録された１つの動画像記録単位であるシーンから、予め設定された時間間隔に従って選択された画像の縮小画像を生成し、生成した縮小画像を時系列に並べた時系列縮小画像一覧を前記表示部に出力する処理を実行するステップであることを特徴とする画像表示制御方法にある。
【００２０】
さらに、本発明の画像表示制御方法の一実施態様において、前記データ処理ステップは、前記時系列縮小画像一覧に表示する縮小画像の生成対象データとして、前記予め設定された時間間隔の近傍にある画面内符号化画像を選択して縮小画像を生成する処理を実行するステップであることを特徴とする。
【００２１】
さらに、本発明の画像表示制御方法の一実施態様において、前記データ処理ステップは、前記記録媒体に記録された映像信号管理ファイルからシーン内の画面内符号化画像の位置情報を取得して、前記予め設定された時間間隔の近傍にある画面内符号化画像を選択して縮小画像を生成する処理を実行するステップであることを特徴とする。
【００２２】
さらに、本発明の画像表示制御方法の一実施態様において、前記データ処理ステップは、前記記録媒体に記録されたシーンの映像信号ストリーム中の管理情報を解析して画面内符号化画像の位置情報を取得して、前記予め設定された時間間隔の近傍にある画面内符号化画像を選択して縮小画像を生成する処理を実行するステップであることを特徴とする。
【００２３】
さらに、本発明の画像表示制御方法の一実施態様において、前記入力部の一部は、前記表示部に構成されるタッチパネルであり、前記画像表示制御方法は、さらに、前記データ処理部が、前記表示部に表示される前記時系列縮小画像一覧に対するユーザからの縮小画像指定情報を入力し、指定された縮小画像に対応する画像位置からの再生処理を実行することを特徴とする。
【００２４】
さらに、本発明の画像表示制御方法の一実施態様において、前記画像表示制御方法は、さらに、前記データ処理部が、前記表示部に表示される時系列縮小画像一覧画面と、前記記録媒体に格納された複数シーンの各々の代表画像を縮小画像として表示したシーンインデックス画面との遷移を、前記入力部を介する入力情報に従って実行することを特徴とする。
【００２５】
さらに、本発明の画像表示制御方法の一実施態様において、前記画像表示制御方法は、さらに、前記データ処理部が、前記表示部に表示される時系列縮小画像一覧画面と、前記記録媒体に格納された複数シーンの各々の代表画像を縮小画像として表示したシーンインデックス画面との遷移を、前記入力部を介する１回のユーザ操作情報に従って実行することを特徴とする。
【００２６】
さらに、本発明の第４の側面は、
画像処理装置において画像表示制御を実行させるコンピュータ・プログラムであり、
データ処理部に、入力部からの入力に基づいて、動画データを記録した記録媒体からデータを取得して表示部に出力させる表示データを生成するデータ処理ステップと、
表示部に、前記表示データを表示させる表示ステップを有し、
前記データ処理ステップは、
前記記録メディアに記録された１つの動画像記録単位であるシーンから、予め設定された時間間隔に従って選択された画像の縮小画像を生成し、生成した縮小画像を時系列に並べた時系列縮小画像一覧を前記表示部に出力する処理を実行させるステップであることを特徴とするコンピュータ・プログラムにある。
【００２７】
なお、本発明のコンピュータ・プログラムは、例えば、様々なプログラム・コードを実行可能な汎用コンピュータ・システムに対して、コンピュータ可読な形式で提供する記憶媒体、通信媒体によって提供可能なコンピュータ・プログラムである。このようなプログラムをコンピュータ可読な形式で提供することにより、コンピュータ・システム上でプログラムに応じた処理が実現される。
【００２８】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２９】
本発明の一実施例構成によれば、１つの動画像データの記録単位として設定される１つのシーンにおける時系列サムネイル画像データ（フィルムロールインデックス）を生成して表示部に表示する構成としたので、ユーザは時系列サムネイル画像に基づいて容易に各シーンの内容を知ることができる。また、ユーザが時系列サムネイル画像を指定することで、指定サムネイル画像を起点とした画像再生が実行されるので、見たい場面の再生を即座に行なうことができる。また、シーンインデックス表示とフィルムロールインデックス表示とのワンタッチ切換えを可能としたので、ユーザの様々な利用態様に応えることが可能となる。
【発明を実施するための最良の形態】
【００３０】
以下、図面を参照しながら、本発明の撮像装置、画像処理装置、および画像表示制御方法、並びにコンピュータ・プログラムの詳細について説明する。
【００３１】
まず、図１のブロック図を参照して本発明の画像処理装置の一例である撮像装置１００の構成について説明する。例えばユーザ操作部であるキー入力部１０６からの撮影開始信号がマイクロプロセッサ１１０に入力されると、マイクロプロセッサ１１０はコントロール信号を各構成部に出力して撮影処理が開始する。マイクロプロセッサ１１０からの制御に応じて、レンズ１０１のフォーカス機構、シャッター機構、絞り機構などを制御し被写体の画像を取り込んで、ＣＣＤ（Ｃｈａｒｇｅ  Ｃｏｕｐｌｅｄ  Ｄｅｖｉｃｅ）１０２に供給する。
【００３２】
ＣＣＤ１０２は、画像を光電変換して被写体の画像（画像情報）を電気信号としてカメラ信号処理部１０３に出力する。カメラ信号処理部１０３は、ＣＣＤ１０２から入力する画像信号に対する信号処理を実行する。例えば、ＣＤＳ（Ｃｏｒｒｅｌａｔｅｄ  Ｄｏｕｂｌｅ  Ｓａｍｐｌｉｎｇ）処理、ＡＧＣ（Ａｕｔｏｍａｔｉｃ  Ｇａｉｎ  Ｃｏｎｔｒｏｌ）処理、Ａ／Ｄ（Ａｎａｌｏｇ／Ｄｉｇｉｔａｌ）変換処理、さらに、ＡＦ（Ａｕｔｏ  Ｆｏｃｕｓ）、ＡＥ（Ａｕｔｏ  Ｅｘｐｏｓｕｒｅ）、ＡＷＢ（Ａｕｔｏ  Ｗｈｉｔｅ  Ｂａｌａｎｃｅ）などのカメラ信号処理を施す。このようにして種々の調整がされた画像データは、記録再生部１０４、および表示部１０９に出力される。表示部１０９には撮影画像がスルー画として表示される。また、記録再生部１０４は、予め設定された圧縮方式でデータ圧縮を実行し記録メディア１０５に圧縮データを記録する。映像信号の記録方式としては例えば、ＭＰＥＧ−４  ＡＶＣ／Ｈ．２６４圧縮を用いた高精細（ＨＤ）映像記録、あるいはＭＰＥＧ−２圧縮を用いた標準（ＳＤ）映像記録などが利用される。
【００３３】
マイクロプロセッサ１１０はキー入力部１０６のキー操作情報、あるいは表示部１０９に表示される操作キーからユーザの操作情報を入力し、ユーザ指示に従った処理を実行する。表示部１０９は例えばＬＣＤタッチパネルによって構成され、ＧＵＩが表示されてユーザの操作情報が入力可能な構成を持つ。なお、キー入力部１０６のキーを「ハードキー」、表示部１０９に表示されるＧＵＩ上の操作キーを「ソフトキー」と呼ぶ。
【００３４】
マイクロプロセッサ１１０は、バッテリ１２０またはＡＣ電源から電源回路１２１を介して電力供給を受けて動作し、撮像装置１００内部の様々な処理の制御を実行する。また、必要に応じて電源コントロール信号を制御して、他回路への電力供給制御を行う。マイクロプロセッサ１１０は、キー入力部１０６のハードキー、または、表示部１０９に表示されるＧＵＩ上のソフトキーの入力をＡ／Ｄ変換し、変換デジタル値からどのキーが押されているか判断して、判断に応じて様々な処理を実行する。マイクロプロセッサ１１０は、ＣＰＵ１１１、ＲＡＭ１１２、ＲＯＭ１１３などを有し、予め記録されたプログラムに従った処理を実行する。
【００３５】
例えば、マイクロプロセッサ１１０は、キー入力部１０６のハードキー、または、表示部１０９に表示されるＧＵＩ上のソフトキーによって再生指示が入力されると、撮像装置を映像信号再生モードに切り替え、記録メディア１０５に記録されたデータを、記録再生部１０４を介して読み出し、復号処理を実行して重畳処理部１０８を介して表示部１０９に表示する。
【００３６】
オンスクリーディスプレイ（ＯＳＤ）処理部１０７は、マイクロプロセッサ１１０から入力するコマンドを解釈し、ＶＲＡＭ上に作成された表示信号を走査単位で重畳処理部１０８へ送る。例えばＧＵＩ情報、マニュアル情報などの映像信号と異なる映像に重畳させて表示するデータを生成して重畳処理部１０８へ送る。重畳処理部１０８は、記録用映像信号、または再生された映像信号とオンスクリーディスプレイ（ＯＳＤ）処理部１０７からの表示信号を重畳して表示部１０９に出力する。
【００３７】
本発明の撮像装置においては、マイクロプロセッサ１１０は、ユーザの指示に基づいて記録メディア１０５に記録された画像データのサムネイル画像一覧を生成して、表示部１０９に表示する。この際、記録メディア１０５に記録された各シーンの各々について、たとえば所定時間間隔の画像対応の複数のサムネイル画像を生成して提示する。さらに、表示された時系列サムネイル画像に対するユーザのサムネイル画像選択情報を入力し、ユーザによって選択されたサムネイル画像に対応する画像位置からの再生処理を実行する。これらの処理の制御はマイクロプロセッサ１１０が実行する。なお、シーンとは、前述したように１回の動画撮影の開始から終了までの画像データを意味する。従って、記録メディア１０５には様々なシーンに対応する複数の画像データが記録される。また、１つのシーンの時間は様々であり、数秒のシーンから１時間を越えるシーンなどが混在することになる。
【００３８】
本発明の撮像装置においては、マイクロプロセッサ１１０は、記録メディア１０５に記録されたシーンについて、例えばある時間間隔の時系列サムネイル画像一覧リストを生成して表示部１０９に表示する。この１つの動画記録データ単位である１つのシーンに対応する時系列サムネイル画像一覧リストの表示データを「フィルムロールインデックス画面（ビュー）」と呼ぶ。このフィルムロールインデックス画面」の表示部１０９における表示例、および表示部１０９における表示情報の遷移例について図２を参照して説明する。
【００３９】
図２には、撮像装置１００の表示部１０９に表示される４種類の画面、すなわち、
（ａ）待機画面
（ｂ）ホームメニュー画面
（ｃ）フィルムロールインデックス画面
（ｄ）動画再生画面
これらの画面を示している。
【００４０】
これらの画面の遷移は、撮像装置１００の本体に設けられたキー入力部（ハードキー）１０６のキー操作情報、あるいは表示部１０９に表示される各種操作キーを含むＧＵＩに対するキー（ソフトキー）のキー操作情報をマイクロプロセッサ１１０が入力し、操作キーの判別を行って各画面遷移を実行する。
【００４１】
図２に示す（ｃ）フィルムロールインデックス画面が、１つの動画記録データ単位である１つのシーンに対応する時系列サムネイル画像一覧リストの表示データである。この「フィルムロールインデックス画面（ビュー）」は、先に説明したように、１つの動画記録データ単位である１つのシーンから、予め設定された時間間隔で選択された画像のサムネイル画像（縮小画像）の一覧画像データである。
【００４２】
このフィルムロールインデックス画面に表示するサムネイル画像は、フィルムロールインデックス画面の表示要求があった時点でマイクロプロセッサ１１０が生成し、マイクロプロセッサ１１０内のＲＡＭ１１２に一時的にサムネイル画像を格納するとともに、生成したサムネイル画像を表示部１０９に出力して表示する。フィルムロールインデックス画面において利用されるサムネイル画像は、記録メディア１０５には記録されない。従って、記録メディアの記録領域を減少させることはない。マイクロプロセッサ１１０は、記録メディア１０５に記録された圧縮画像（ＭＰＥＧ−４  ＡＶＣ／Ｈ．２６４圧縮を用いた高精細（ＨＤ）映像、あるいはＭＰＥＧ−２圧縮を用いた標準（ＳＤ）映像）を取得して画面内圧縮符号化画像（Ｉ−Ｐｉｃｔｕｒｅ、Ｉ−ＦｒａｍｅまたはＩ−ＶＯＰ等とも称される。）を切りだし、縮小処理を実行してフィルムロールインデックス一覧領域に順番に並べて表示する。なお、フィルムロールインデックス画面に適用するサムネイル画像の生成手法の詳細については後段でさらに説明する。
【００４３】
図２を参照して表示部１０９に表示される、（ａ）待機画面、（ｂ）ホームメニュー画面、（ｃ）フィルムロールインデックス画面、（ｄ）動画再生画面、これらの画面遷移について説明する。
【００４４】
（ａ）待機画面と（ｂ）ホームメニュー画面との間の画面遷移は、（ａ）待機画面に表示されるホームキー（ソフトキー）２０１、あるいは装置に備えられたホームキー（ハードキー）を操作することで実行される。
また、（ｂ）ホームメニュー画面から（ａ）待機画面への遷移は、（ｂ）ホームメニュー画面中の閉じるキー（ソフトキー）２０２の操作によっても実行される。
【００４５】
（ａ）待機画面から（ｃ）フィルムロールインデックス画面への画面遷移は、装置に備えられたフィルムロールキー（ハードキー）を操作することで実行される。
（ｂ）ホームメニュー画面から（ｃ）フィルムロールインデックス画面への画面遷移は、装置に備えられたフィルムロールキー（ハードキー）、またはホームメニュー画面中のフィルムロールキー（ソフトキー）２０３の操作によって実行される。
【００４６】
このように、（ｃ）フィルムロールインデックス画面への画面遷移は、（ａ）待機画面から直接遷移することも可能であり、また、（ａ）待機画面から（ｂ）ホームメニュー画面へ移行して、その後、（ｃ）フィルムロールインデックス画面へ遷移するという処理によっても可能となる。
【００４７】
（ｃ）フィルムロールインデックス画面には、１つの動画記録データ単位である１つのシーンから、予め設定された時間間隔で選択された時系列サムネイル画像が表示される。ユーザがこれらのサムネイル画像のいずれかを指定すると、その指定サムネイル画像を再生開始位置として、動画再生が実行される。この動画再生時の画面が（ｄ）動画再生画面である。図１に示すマイクロプロセッサ１１０は、フィルムロールインデックス画面に表示される各サムネイル画像のシーンにおける時間情報をメモリ（ＲＡＭ１１２）にサムネイル画像に対応付けて保持している。具体的には、サムネイル画像に適用した画面内圧縮符号化画像を含むシーン中の位置情報であり、シーン先頭からの経過時間情報やアドレス情報などである。
【００４８】
マイクロプロセッサ１１０は、ユーザが、フィルムロールインデックス画面に表示されたサムネイル画像を例えば指でタッチするなどによってサムネイル画像指定を実行すると、指定位置の座標データに基づいて指定されたサムネイル画像がどのサムネイル画像であるかを判別して、指定されたサムネイル画像に対応する属性データから、シーンにおけるサムネイル画像の位置（時間情報）を取得して、その位置からの動画再生を実行する。
【００４９】
（ｄ）動画再生画面から（ｃ）フィルムロールインデックス画面への遷移は、（ｄ）動画再生画面に表示されている戻るキー２０４、停止キー２０５を操作するか、あるいはフィルムロールキー（ハードキー）を操作することで実行される。
【００５０】
フィルムロールインデックス画面の詳細構成について、図３を参照して説明する。フィルムロールインデックス画面には、シーンインデックス表示領域３０１と、シーン内フィルムロールインデックス表示領域３０２が含まれる。
【００５１】
シーンインデックス表示領域３０１は、１つの動画記録データ単位である１つのシーンから選択された１つの代表画像を表示する領域であり、シーンインデックス送り／戻しキー３０３ａ，ｂを操作することで、異なるシーンの代表画像を提示することができる。なお、このシーンインデックス表示領域３０１に表示される代表画像は、例えばシーンの先頭画のサムネイル画像である。
【００５２】
一方、シーン内フィルムロールインデックス表示領域３０２は、シーンインデックス表示領域３０１に表示されたサムネイル画像が属するシーン（動画像データ）から、予め設定された時間間隔で選択された画像のサムネイル画像（縮小画像）の一覧画像データが表示される領域である。
【００５３】
このシーン内フィルムロールインデックス表示領域３０２には、シーン内フィルムロールインデックス送り／戻しキー３０６ａ，ｂが表示され、このシーン内フィルムロールインデックス送り／戻しキー３０６ａ，ｂを操作することで、同一シーンの異なる時間のフィルムロールインデックスとしてのサムネイル画像を表示することができる。
【００５４】
シーンインデックス表示領域３０１中のシーンインデックス送り／戻しキー３０３ａ，ｂを操作することで、シーン内フィルムロールインデックス表示領域３０２に表示されるフィルムロールインデックスも、シーンインデックス表示領域３０２に表示されるシーンインデックスに対応して切り替えられることになる。
【００５５】
次に、図４を参照して、フィルムロールインデックス画面に表示するサムネイル画像の生成処理の詳細について説明する。先に説明したように、フィルムロールインデックス画面に表示するサムネイル画像は、フィルムロールインデックス画面の表示要求があった時点でマイクロプロセッサ１１０が生成し、マイクロプロセッサ１１０内のＲＡＭ１１２に一時的にサムネイル画像を格納するとともに、生成したサムネイル画像を表示部１０９に出力して表示する。
【００５６】
マイクロプロセッサ１１０は、記録メディア１０５に記録された圧縮画像（ＭＰＥＧ−４  ＡＶＣ／Ｈ．２６４圧縮を用いた高精細（ＨＤ）映像、あるいはＭＰＥＧ−２圧縮を用いた標準（ＳＤ）映像）を取得して画面内圧縮符号化画像を切りだし、縮小処理を実行してフィルムロールインデックス一覧領域に順番に並べて表示する。
【００５７】
例えば、図４に示すようなあるシーンを構成するＭＰＥＧデータ４００がある場合、このＭＰＥＧデータには、それぞれ異なる態様で圧縮されたピクチャ（フレーム）が含まれる。サムネイル画像の生成には、ＭＰＥＧデータに含まれる画面内圧縮符号化画像を選択して利用する。すなわち、マイクロプロセッサ１１０は、ユーザによって指定されたシーンに含まれる画面内圧縮符号化画像を、予め設定された時間間隔（図に示す例では時間Ｔ１）で取得する。
【００５８】
図４示す例では、時間間隔Ｔ１毎に画面内圧縮符号化画像４０１〜４０５を選択する。なお、予め設定された時間間隔（Ｔ１）の位置に、必ずしも画面内圧縮符号化画像が存在するとは限らないので、その場合は、その時間間隔に最も近い位置にある画面内圧縮符号化画像を選択する。
【００５９】
マイクロプロセッサ１１０は、このようにして選択した画面内圧縮符号化画像を縮小してサムネイル画像を生成し、生成したサムネイル画像を時系列に並べて、表示部１０９に出力して表示する。
【００６０】
なお、記録メディア１０６に記録された画像が、ＨＤ映像の場合は記録メディア格納データは、ＭＰＥＧ−４  ＡＶＣ／Ｈ．２６４方式で圧縮された画像であり、例えばＡＶＣＨＤ（商標）規格で映像が記録されている。このＡＶＣＨＤ（商標）規格に従った記録データには、ＭＰＥＧ−４  ＡＶＣ／Ｈ．２６４方式で圧縮されたデータの構成情報として、画面内圧縮符号化画像の位置情報（先頭からの時間情報やアドレス情報など）が記録されている映像信号管理ファイル（記録メディア全体を管理する拡張子「．ＢＤＭ」、「．ＭＰＬ」「．ＣＰＩ」等の管理ファイル群であって、ＤＶＤ−ＶｉｄｅｏフォーマットにおけるＶＩＤＥＯ＿ＴＳ．ＩＦＯファイルに相当するものである。）が併せて記録されている。尚、映像信号を記録媒体に記録する場合の処理としてデータ量の圧縮処理を行うことは必須ではなく、非圧縮符号化方式により記録してもよい。
【００６１】
マイクロプロセッサ１１０は、この映像信号管理ファイルを読み出して、予め設定された時間間隔情報（例えば図４に示す［Ｔ１］）を元に映像信号中の画面内圧縮符号化画像の位置を特定して、特定した画面内圧縮符号化画像をフィルムロールインデックスに適用する画像として選択し、選択した画面内圧縮符号化画像の復号を実行し、さらに復号データに基づいてサムネイル画像を生成する。
【００６２】
また、記録メディア１０６に記録された画像が、ＳＤ映像の場合は記録メディア格納データはＭＰＥＧ−２方式で圧縮されたデータであり、この場合は映像信号管理ファイルではなく映像信号ストリーム中のデータ拡張領域にあらかじめ管理情報を埋め込んで記録しておく。
【００６３】
マイクロプロセッサ１１０は、このような場合、映像信号ストリーム中の管理情報を解析する処理を実行する。この映像信号ストリーム中の管理情報の解析により、予め設定された時間間隔（例えば図４に示すＴ１）の画面内圧縮符号化画像を特定し、特定した画面内圧縮符号化画像をフィルムロールインデックスに適用する画像として選択し、選択した画面内圧縮符号化画像の復号を実行し、さらに復号データに基づいてサムネイル画像を生成する。
【００６４】
このようにして、マイクロプロセッサ１１０は、記録メディア１０５に格納された符号化データから予め設定された間隔で複数のサムネイル画像生成用画像を選択して、サムネイル画像の生成処理を実行して、図４に示すようなフィルムロールインデックス画面に提示するサムネイル画像を生成する。なお、フィルムロールインデックス画面に一度に提示されるサムネイル画像数には上限があり、図３を参照して説明したように、シーン内フィルムロールインデックス送り／戻しキー３０６ａ，ｂを操作することで、同一シーンの異なる時間のフィルムロールインデックスとしてのサムネイル画像を表示することができる。
【００６５】
また、図２を参照して説明したように、（ｃ）フィルムロールインデックス画面には、１つの動画記録データ単位である１つのシーンから、予め設定された時間間隔で選択された時系列サムネイル画像が表示され、ユーザがこれらのサムネイル画像のいずれかを指定すると、その指定サムネイル画像を再生開始位置として、動画再生を実行する。
【００６６】
マイクロプロセッサ１１０は、前述したように、ＨＤ映像の場合は映像信号管理ファイルから画面内圧縮符号化画像の位置情報（先頭からの時間情報やアドレス情報など）を取得し、また、ＳＤ映像の場合は映像信号ストリーム中の管理情報を解析し、画面内圧縮符号化画像の位置情報を取得しており、これらの情報をＲＡＭ１１２に保持している。マイクロプロセッサ１１０は、この情報を適用して、各サムネイル画像の位置を即座に判断して、指定されたサムネイル画像からの再生を実行する。なお、動画再生を停止した場合、停止したシーンの停止した時間位置を示した状態のフィルムロールインデックス画面に戻る。
【００６７】
なお、フィルムロールインデックス画面に表示するサムネイル画像の時間間隔は、ユーザの設定によって変更することができる。フィルムロールインデックス画面に表示されるオプションキー３０７（図３参照）を操作し、図５に示すようなフィルムロールインデックス間隔設定画面５０１を表示する。
【００６８】
ユーザは、図５に示すフィルムロールインデックス間隔設定画面５０１を表示して、この画面に対して操作を行なうことで、フィルムロールインデックス画面に表示するサムネイル画像の時間間隔を変更することができる。フィルムロールインデックス間隔設定画面５０１には、現在設定されているフィルムロールインデックス間隔情報５１１が表示される。図の例では、現在設定されているフィルムロールインデックス間隔は［１２秒］である。この１２秒は、図４の例で示す時間間隔［Ｔ１］に相当する。
【００６９】
図５に示すフィルムロールインデックス間隔設定画面５０１には、フィルムロールインデックス間隔を増減するための増減スイッチ５１２ａ，ｂが設定され、ユーザはこのスイッチの操作によって、フィルムロールインデックス間隔を変更することができる。なお、フィルムロールインデックス間隔設定画面５０１には、概念的なフィルム画像と、設定間隔を示すためのマーカー５２１が表示される。図５に示す例において、マーカー５２１は、現在設定されているフィルムロールインデックス間隔［１２秒］に相当するマーカー間隔を表現している。
【００７０】
例えば、増減スイッチ５１２ａ，ｂを操作して、フィルムロールインデックス間隔を変更すると、このマーカー５２１の設定間隔も変更される。図６は、増減スイッチ５１２ａ，ｂを操作して、フィルムロールインデックス間隔を［１分］に設定した例を示している。この場合、フィルム画像に併せて表示されるフィルムロールインデックス間隔を示すマーカー５２１の間隔がより広く設定されて表示され、ユーザがフィルムロールインデックス間隔をイメージしやすくなる。
【００７１】
なお、設定可能なフィルムロールインデックス間隔は、例えば、［３秒］、［６秒］、［１２秒］、［１分］、［５分］等の複数段階の設定とする、なお、この例は一例であり、さらに、細かくあるいは荒いフィルムロールインデックス間隔を設定可能間隔としてもよい。
【００７２】
次に、図７を参照して、フィルムロールインデックス画面と通常のシーンインデックス画面を１回のユーザ操作で、行き来できるように画面遷移を可能とした場合の画面遷移例について説明する。
【００７３】
図７には、撮像装置１００の表示部１０９に表示される５種類の画面、すなわち、
（ａ）待機画面
（ｂ）シーンインデックス画面
（ｃ）フィルムロールインデックス画面
（ｄ１）動画再生画面
（ｄ２）動画再生画面
これらの画面を示している。
【００７４】
（ａ）待機画面、（ｃ）フィルムロールインデックス画面、（ｄ１，ｄ２）動画再生画面は、図２を参照して説明したと同様の画面である。（ｂ）シーンインデックス画面は、従来の機器においてもよく利用される記録メディアに記録された複数のシーンの各々から１つの代表画像（例えば先頭画）を選択して生成されるサムネイル画像を一覧表示したデータである。
【００７５】
図７に示す画面遷移例は、（ｂ）シーンインデックス画面と、（ｃ）フィルムロールインデックス画面との遷移を１回のユーザ操作で、行き来できるように設定した画面遷移例である。なお、図７に示す各画面の遷移は、撮像装置１００の本体に設けられたキー入力部（ハードキー）１０６のキー操作情報、あるいは表示部１０９に表示される各種操作キーを含むＧＵＩに対するキー（ソフトキー）のキー操作情報をマイクロプロセッサ１１０が入力し、操作キーの判別を行って各画面の遷移を実行する。
【００７６】
（ａ）待機画面と（ｂ）シーンインデックス画面との間の画面遷移は、装置に備えられた再生キー（ハードキー）または画面に表示される再生キー（ソフトキー）を操作することで実行される。
（ａ）待機画面と（ｃ）フィルムロールインデックス画面との間の画面遷移は、装置に備えられたフィルムロールキー（ハードキー）または画面に表示されるフィルムロールキー（ソフトキー）を操作することで実行される。
【００７７】
（ｂ）シーンインデックス画面から（ｄ１）動画再生画面への遷移は、（ｂ）シーンインデックス画面に表示されたシーンインデックスに相当するサムネイル画像の指定によって実行される。
（ｄ１）動画再生画面から（ｂ）シーンインデックス画面への遷移は、装置の停止または再生キー（ハードキー）または、（ｄ１）動画再生画面に表示される停止または戻るまたは再生キー（ソフトキー）の操作によって実行される。
【００７８】
（ｃ）フィルムロールインデックス画面から（ｄ２）動画再生画面への遷移は、（ｃ）フィルムロールインデックス画面に表示されたフィルムロールインデックスに相当するサムネイル画像の指定によって実行される。
（ｄ２）動画再生画面から（ｃ）フィルムロールインデックス画面への遷移は、装置のフィルムロールキーまたは停止キーまたは戻るキー（ハードキー）または、（ｄ２）動画再生画面に表示される停止または戻るキー（ソフトキー）の操作によって実行される。
【００７９】
さらに、
（ｂ）シーンインデックス画面から（ｃ）フィルムロールインデックス画面への遷移は、装置のフィルムロールキー（ハードキー）または（ｂ）シーンインデックス画面に表示されるフィルムロールキー（ソフトキー）の操作によって実行される。
（ｃ）フィルムロールインデックス画面から（ｂ）シーンインデックス画面への遷移は、装置の再生キー（ハードキー）または（ｃ）フィルムロールインデックス画面に表示される再生［Ｐｌａｙ］キー（ソフトキー）の操作によって実行される。
【００８０】
また、（ｂ）シーンインデックス画面から（ｄ１）動画再生画面へ遷移した後に、（ｃ）フィルムロールインデックス画面に遷移する場合は、装置のフィルムロールキー（ハードキー）または（ｄ１）動画再生画面に表示されるフィルムロールキー（ソフトキー）を操作する。
さらに、（ｃ）フィルムロールインデックス画面から（ｄ２）動画再生画面へ遷移した後に、（ｂ）シーンインデックス画面に遷移する場合は、装置の再生キー（ハードキー）または（ｄ２）動画再生画面に表示される再生［Ｐｌａｙ］キー（ソフトキー）を操作する。
【００８１】
このように、図７に示す画面遷移例では、（ｂ）シーンインデックス画面と、（ｃ）フィルムロールインデックス画面の遷移、および各動画再生画面からも、１回のユーザ操作で、（ｂ）シーンインデックス画面、（ｃ）フィルムロールインデックス画面のいずれにも遷移可能な構成である。従って、例えばシーンインデックス画面から再生したいシーンを選択した後、フィルムロールインデックス画面に移行して、さらに１つのシーン中の再生希望領域のみを即座に選択して再生を行なうことが可能となるなど、ユーザの様々な利用態様に併せた処理を効率的に実行可能な構成である。
【００８２】
なお、画像の記録または再生を行なう記録メディアは、ランダムアクセス性の高い記録メディアであればよく、ハードディスク、半導体メモリカード、ＤＶＤ−Ｒ／ＲＷなどの光学ディスクなど、様々な記録メディアが適用可能である。なお、ＤＶＤ−Ｒ／ＲＷを用いて映像記録を行う場合は、ＳＤ記録時であっても、映像信号管理ファイルが設定されて記録されるので、フィルムロールインデックスの設定時間間隔情報に併せたデータを選択する際には、映像信号管理ファイルの情報を利用することができる。すなわち、映像信号管理ファイルの記録情報に基づいて映像信号中の画面内圧縮符号化画像の位置を特定して復号することが可能である。
【００８３】
次に、図８に示すフローチャートを参照して、フィルムロールインデックス画面の表示処理において、マイクロプロセッサの実行する処理シーケンスについて説明する。まず、ステップＳ１０１において、ユーザ指定シーンに対応するデータを記録メディアから取得する。なお、ユーザによるシーン指定態様としては様々な処理態様がある。例えば、図７に示す画面遷移例では、（ｂ）シーンインデックス画面から１つのシーンを選択することが可能であり、また、図２に示す画面例では、ホームメニュー画面においてフィルムロールキー２０３を操作した場合、ユーザが最後に再生したシーンに対応するシーンが選択される。さらに、図３を参照して説明したフィルムロールインデックス画面のシーンインデックス表示領域にシーンインデックスが表示された場合は、この表示インデックスに対応するシーンがユーザ指定シーンとなる。
【００８４】
マイクロプロセッサは、このような様々な態様のいずれかによって指定された指定シーンに対応するデータを記録メディアから取得する。次にステップＳ１０２において、取得シーンに対応する管理情報ファイル、または、データに埋め込まれた管理情報に基づいて、予め設定されたフィルムロールインデックス間隔（Ｔ１）毎のデータ（画面内圧縮符号化画像）を取得する。この処理は、先に、図４を参照して説明した処理である。
【００８５】
前述したように、ＨＤ映像の場合は映像信号管理ファイルから画面内圧縮符号化画像の位置情報（先頭からの時間情報など）を取得し、また、ＳＤ映像の場合は映像信号ストリーム中の管理情報を解析することで画面内圧縮符号化画像の位置情報を取得して、予め設定されたフィルムロールインデックス間隔（Ｔ１）毎のデータ（画面内圧縮符号化画像）を取得する。なお、先に、図５、図６を参照して説明したように、フィルムロールインデックス間隔は、ユーザによって変更可能である。
【００８６】
次に、ステップＳ１０３において、取得データ（画面内圧縮符号化画像）を復号し、サムネイル画像を生成して、ステップＳ１０４において、生成したサムネイル画像を時系列に並べて表示部に表示する。この表示処理によって、例えば図３に示すフィルムロールインデックス画面が表示される。
【００８７】
以上、特定の実施例を参照しながら、本発明について詳解してきた。しかしながら、本発明の要旨を逸脱しない範囲で当業者が実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【００８８】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【００８９】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００９０】
以上、説明したように、本発明の一実施例構成によれば、１つの動画像データの記録単位として設定される１つのシーンにおける時系列サムネイル画像データ（フィルムロールインデックス）を生成して表示部に表示する構成としたので、ユーザは時系列サムネイル画像に基づいて容易に各シーンの内容を知ることができる。また、ユーザが時系列サムネイル画像を指定することで、指定サムネイル画像を起点とした画像再生が実行されるので、見たい場面の再生を即座に行なうことができる。また、シーンインデックス表示とフィルムロールインデックス表示とのワンタッチ切換えを可能としたので、ユーザの様々な利用態様に応えることが可能となる。
【図面の簡単な説明】
【００９１】
【図１】本発明の一実施例の画像処理装置としての撮像装置の構成について説明する図である。
【図２】表示部に表示される画面の遷移例について説明する図である。
【図３】表示部に表示されるフィルムロールインデックス画面の例について説明する図である。
【図４】フィルムロールインデックス画面に表示するサムネイル画像の生成処理について説明する図である。
【図５】フィルムロールインデックス画面に表示するサムネイル画像の間隔の設定を実行するための画面例について説明する図である。
【図６】フィルムロールインデックス画面に表示するサムネイル画像の間隔の設定を実行するための画面例について説明する図である。
【図７】表示部に表示される画面の遷移例について説明する図である。
【図８】フィルムロールインデックス画面に表示するサムネイル画像の生成処理シーケンスを説明するフローチャートを示す図である。
【符号の説明】
【００９２】
１００  撮像装置
１０１  レンズ
１０２  ＣＣＤ（Ｃｈａｒｇｅ  Ｃｏｕｐｌｅｄ  Ｄｅｖｉｃｅ）
１０３  カメラ信号処理部
１０４  記録再生部
１０５  記録メディア
１０６  キー入力部
１０７  オンスクリーンディスプレイ処理部
１０８  重畳処理部
１０９  表示部
１１０  マイクロプロセッサ
１１１  ＣＰＵ
１１２  ＲＡＭ
１１３  ＲＯＭ
１２０  バッテリ
１２１  電源回路
２０１  ホームキー
２０２  閉じるキー
２０３  フィルムロールキー
２０４  戻るキー
２０５  停止キー
３０１  シーンインデックス表示領域
３０２  シーン内フィルムロールインデックス表示領域
３０３  シーンインデックス送り／戻しキー
３０６  シーン内フィルムロールインデックス送り／戻しキー
３０７  オプションキー
４００  ＭＰＥＧデータ
４０１〜４０５  画面内圧縮符号化画像
５０１  フィルムロールインデックス間隔設定画面
５１１  フィルムロールインデックス間隔情報
５１２  増減スイッチ
５２１  マーカー
【図１】
2008228135.tif 000003
【図８】
2008228135.tif 000004
【図２】
2008228135.tif 000005
【図３】
2008228135.tif 000006
【図４】
2008228135.tif 000007
【図５】
2008228135.tif 000008
【図６】
2008228135.tif 000009
【図７】
2008228135.tif 000010